Podtech/llm-jp-corpus-v4-ja_patent huggingface dataset:
【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
１枚の用紙に複数の印刷データが配置される多面印刷データを生成する多面印刷データ生成手段と、
前記生成された多面印刷データにおける前記複数の印刷データの配置に基づいて、前記１枚の用紙において断裁可能領域と断裁禁止領域とが識別可能な断裁シート用のデータを生成する断裁シートデータ生成手段と、
前記多面印刷データ生成手段により生成された多面印刷データと、前記断裁シートデータ生成手段により生成された断裁シートデータとを続けて印刷すべく制御する印刷制御手段と、
を有することを特徴とする印刷制御装置。
【請求項２】
前記多面印刷データ生成手段は、
新たな面付け設定を行う面付けレイアウト再設定手段と、
前記新たな面付けの各コンテンツ元として、ページコンテンツデータを関連付け直すページコンテンツデータ関連付け再設定手段と、
前記断裁シートを前記多面印刷データに差し込むための差込印刷指示を設定する断裁シート差込印刷設定手段とを有することを特徴とする請求項１記載の印刷制御装置。
【請求項３】
前記断裁シートデータ生成手段は、前記新たな面付けレイアウト設定と、前記差込印刷指示の設定に基づいて断裁禁止領域をマスクし、断裁可能領域と区別するための断裁シート用のデータを生成することを特徴とする請求項２記載の印刷制御装置。
【請求項４】
先行して処理中のジョブと、印刷処理を中断して割り込むジョブの各ジョブチケットを保存し、保存した各ジョブチケットから代替ジョブチケットを生成し、
前記ページコンテンツデータ関連付け再設定手段は、前記代替ジョブチケットの新たな面付けレイアウトに、前記先行して処理中のジョブにおいて印刷処理が中断された残りのページデータと割り込みジョブのページデータを混合して関連付け直すことを特徴とする請求項２記載の印刷制御装置。
【請求項５】
先行するジョブの印刷途中で割り込みジョブを受け付け、前記先行するジョブとの合成により１つのジョブを生成する際に、新たな面付け設定によりシートの面付けレイアウトに変化が起こる場合に、その新たな面付けにて印刷される最初のシートの直前に差し込み印刷指示設定を行うことを特徴とする請求項２記載の印刷制御装置。
【請求項６】
前記断裁シートの差込印刷の差込タイミングとして、前記面付けレイアウト再設定手段で新たな面付け設定がなされていなくても、出力ビンを変更する場合に、その出力ビンの最初のシートを印刷する前に差し込み印刷指示設定を行うことを特徴とする請求項２記載の印刷制御装置。
【請求項７】
前記断裁シートの差込印刷の差込タイミングとして、前記面付けレイアウト再設定手段で新たな面付け設定がなされていなくても、断裁機から取得した断裁機の制限枚数と比較し、印刷用紙枚数が断裁機の制限を越える場合に、次のシートを印刷する前に再度差し込み印刷指示設定を行うことを特徴とする請求項２記載の印刷制御装置。
【請求項８】
印刷制御装置の多面印刷データ生成手段が、１枚の用紙に複数の印刷データが配置される多面印刷データを生成する多面印刷データ生成工程と、
前記印刷制御装置の断裁シートデータ生成手段が、前記生成された多面印刷データにおける前記複数の印刷データの配置に基づいて、前記１枚の用紙において断裁可能領域と断裁禁止領域とが識別可能な断裁シート用のデータを生成する断裁シートデータ生成工程と、
前記印刷制御装置の印刷制御手段が、前記多面印刷データ生成工程において生成された多面印刷データと、前記断裁シートデータ生成工程において生成された断裁シートデータとを続けて印刷すべく制御する印刷制御工程と、
を有することを特徴とする印刷制御方法。
【請求項９】
請求項８記載の印刷制御方法をコンピュータに実行させるためのプログラム。
【請求項１０】
請求項９記載のプログラムを記録したコンピュータ読み取り可能な記録媒体。
【手続補正２】
【補正対象書類名】明細書
【補正対象項目名】００１７
【補正方法】変更
【補正の内容】
【００１７】
本発明は、印刷制御装置であって、１枚の用紙に複数の印刷データが配置される多面印刷データを生成する多面印刷データ生成手段と、前記生成された多面印刷データにおける前記複数の印刷データの配置に基づいて、前記１枚の用紙において断裁可能領域と断裁禁止領域とが識別可能な断裁シート用のデータを生成する断裁シートデータ生成手段と、前記多面印刷データ生成手段により生成された多面印刷データと、前記断裁シートデータ生成手段により生成された断裁シートデータとを続けて印刷すべく制御する印刷制御手段とを有することを特徴とする。
【手続補正３】
【補正対象書類名】明細書
【補正対象項目名】００１８
【補正方法】変更
【補正の内容】
【００１８】
また、本発明は、印刷制御方法であって、印刷制御装置の多面印刷データ生成手段が、１枚の用紙に複数の印刷データが配置される多面印刷データを生成する多面印刷データ生成工程と、前記印刷制御装置の断裁シートデータ生成手段が、前記生成された多面印刷データにおける前記複数の印刷データの配置に基づいて、前記１枚の用紙において断裁可能領域と断裁禁止領域とが識別可能な断裁シート用のデータを生成する断裁シートデータ生成工程と、前記印刷制御装置の印刷制御手段が、前記多面印刷データ生成工程において生成された多面印刷データと、前記断裁シートデータ生成工程において生成された断裁シートデータとを続けて印刷すべく制御する印刷制御工程とを有することを特徴とする。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
インクを吐出する吐出口が形成された吐出口面を有する記録ヘッドを用いて記録媒体の記録面に対して記録動作を行うインクジェット記録装置において、
記録動作中に行う予備吐出の時間間隔を設定する設定手段を有し、
前記設定手段は、前記吐出口面と前記記録面との距離が短い程、前記時間間隔を長く設定することを特徴とするインクジェット記録装置。
【請求項２】
インクを吐出する吐出口が形成された吐出口面を有する記録ヘッドを用いて記録媒体の記録面に対して記録動作を行うインクジェット記録装置において、
記録動作中に行う予備吐出の時間間隔を設定する設定手段を有し、
前記設定手段は、前記吐出口面と前記記録面との距離が第１の距離の場合、前記距離が前記第１の距離よりも長い第２の距離の場合よりも前記時間間隔を長く設定することを特徴とするインクジェット記録装置。
【請求項３】
インクを吐出する吐出口が形成された吐出口面を有する記録ヘッドを用いて記録媒体の記録面に対して記録動作を行うインクジェット記録装置において、
記録動作中に行う予備吐出の時間間隔を設定する設定手段を有し、
前記設定手段は、前記吐出口面と前記記録面との距離が所定の距離よりも短い場合、前記所定の距離よりも長い場合に比べて、前記時間間隔を長く設定することを特徴とするインクジェット記録装置。
【請求項４】
前記設定手段は、前記記録媒体の厚みに関する情報に基づいて前記吐出口面と前記記録面との距離を算出し、
算出結果に従って前記時間間隔を設定することを特徴とする請求項１乃至３のいずれかに記載のインクジェット記録装置。
【請求項５】
前記吐出口面と前記記録面との距離を検出可能なセンサをさらに有し、
前記設定手段は、前記センサが検出する前記距離に基づいて前記時間間隔を設定することを特徴とする請求項１乃至３のいずれかに記載のインクジェット記録装置。
【手続補正２】
【補正対象書類名】明細書
【補正対象項目名】０００２
【補正方法】変更
【補正の内容】
【０００２】
近年、記録媒体上でインクを吐出しながら記録ヘッドが移動することで記録を行うインクジェット記録装置が普及している。これらのインクジェット記録装置には、デジタルカメラ等で撮影した画像等を記録するために用いられることもあることから、高記録品位化が求められている。インクジェット記録装置において高記録品位化を妨げる要因の一つに、長時間吐出が行われなかった後に、吐出口から１発目のインクを吐出する時に発生する吐出不良がある。この吐出不良の発生し易さを発一性と呼んでいる。これは、インクジェット記録装置を長時間使用しなかった場合などに、インク吐出口と連通するノズルにおいて、吐出口からインクの揮発成分が揮発してインクが増粘することが原因である。インクの増粘の度合いによって、不吐出あるいは着弾位置のずれといった現象が発生し記録品位を下げることになる。この点に関しては、吐出口付近の増粘したインクを取り除くことでインク吐出状態を回復させることができる。したがって従来から、発一性を改善するために、記録媒体上ではない部分に記録用のインク吐出とは別の予備吐出と呼ばれるインク吐出を行い、増粘したインクを取り除くことが行われている。この場合、吐出口を備えた記録ヘッドは予備吐出を行う専用の場所まで移動して予備吐出を行い、予備吐出を行った後に記録位置まで戻り再び記録を行うことになる。
【特許文献１】特開平４−２３５０５８号公報
【手続補正書】
【提出日】平成21年5月18日(2009.5.18)
【手続補正１】
【補正対象書類名】特許請求の範囲
【補正対象項目名】請求項１
【補正方法】変更
【補正の内容】
【請求項１】
上端部及び下端部と、肌当接面及び非肌当接面とを有する母乳パッドと、前記母乳パッドが収納された個包装袋とから構成された母乳パッドの包装体において、
前記個包装袋が、長さ及び幅方向と、前記長さ方向に沿う第１及び第２側縁部と、前記幅方向に沿う第１及び第２端縁部とを有する包装シートから形成され、
前記包装シートが、前記第１端縁部から前記第２端縁部へ、前記幅方向に沿って延び、かつ、前記長さ方向へ離間する仮想第１及び第２折曲線を介して仮想第１、第２及び第３領域に画成され、
前記母乳パッドが、上端縁部及び下端縁部と、前記上下端縁部が互いに重なるように前記肌当接面を内側にして二つ折りにされることで区分される第１及び第２区分と、前記上端縁部寄りにおける前記第１区分の前記非肌当接面に、前記母乳パッドをブラジャーに固定するための接着剤で形成した止着部とを有し、
前記包装シートの前記第１領域が、前記母乳パッドの前記第１区分の前記非肌当接面側へ折り返され、その折り返し状態で、前記止着部を介して、前記包装シートの前記第１区分の内面に形成された剥離層に剥離可能に固定され、前記包装シートの前記第３領域が該シートの前記第２領域の側へ折り返され、
前記包装シートの前記第１及び第２側縁部に沿って、前記包装シートの前記第１、第２及び第３領域が互いにシールされてシールラインを形成していることを特徴とする前記母乳パッドの包装体。
【手続補正２】
【補正対象書類名】特許請求の範囲
【補正対象項目名】請求項６
【補正方法】変更
【補正の内容】
【請求項６】
前記剥離シートの前記止着部に対する剥離強度が０．１Ｎ〜０．５Ｎであり、前記包装シートの前記第１及び第２側縁部におけるシールの剥離強度が１．０〜２．２Ｎである請求項１〜５のいずれかに記載の母乳パッドの包装体。
【手続補正３】
【補正対象書類名】明細書
【補正対象項目名】００１０
【補正方法】変更
【補正の内容】
【００１０】
前記個包装袋が、長さ及び幅方向と、前記長さ方向に沿う第１及び第２側縁部と、前記幅方向に沿う第１及び第２端縁部とを有する包装シートとから形成され、前記包装シートが、前記第１端縁部から前記第２端縁部へ、前記幅方向に沿って延び、かつ、前記長さ方向へ離間する仮想第１及び第２折曲線を介して仮想第１、第２及び第３領域に画成されている。
【手続補正４】
【補正対象書類名】明細書
【補正対象項目名】００２１
【補正方法】変更
【補正の内容】
【００２１】
前記包装シートの前記第３領域が該シートの前記第２領域の側へ、かつ、前記母乳パッドの前記第１及び第２区分の間に折り返されている。
【手続補正５】
【補正対象書類名】明細書
【補正対象項目名】００２５
【補正方法】変更
【補正の内容】
【００２５】
前記剥離シートの前記止着部に対する剥離強度が０．１Ｎ〜０．５Ｎであり、前記包装シートの前記第１及び第２側縁部におけるシールの剥離強度が１．０〜２．２Ｎである。
【手続補正６】
【補正対象書類名】明細書
【補正対象項目名】００３２
【補正方法】変更
【補正の内容】
【００３２】
母乳パッドの上端縁部の側における剥離シートのための固定部の端部が、前記側における止着部の端部よりも前記側へ延出している実施の態様においては、母乳パッドを袋から取り出す際、剥離シートを袋の剥離層に確実に残したまま母乳パッドを袋から容易に剥離することができる。
【手続補正７】
【補正対象書類名】明細書
【補正対象項目名】００３６
【補正方法】変更
【補正の内容】
【００３６】
母乳パッドの取り出し口を形成する包装シートの第１端部が該シートの前記第３領域の外面に剥離可能に接合されている実施の形態においては、パッドの製造過程において、接合後に、パッド内にゴミが入ることはない。
【手続補正８】
【補正対象書類名】明細書
【補正対象項目名】００３７
【補正方法】変更
【補正の内容】
【００３７】
母乳パッドの取り出し口を形成する包装シートの第１端部が該シートの前記第３領域の外面に接合されていない実施の形態においては、第１端部を接合する製造工程を省くことができる。
【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
シートを切断加工するシート加工手段と、
シートを前記シート加工手段に向けて搬送する第１搬送手段と、
前記シート加工手段によりシートを切断加工して形成された成果物を搬送する第２搬送手段と、
前記シート加工手段による切断加工位置の下方に設けられ、前記シート加工手段によりシートが切断加工される際に生じる屑となるシートの部分を回収する回収手段と、
前記シート加工手段の動作を制御する制御手段と、を備え、
前記制御手段は、前記切断加工により前記屑となるシートの部分の搬送方向先端が前記第２搬送手段に達すると判断した際、前記屑となるシートの部分を搬送方向において分割して切断加工するよう前記シート加工手段の動作を制御することを特徴とするシート処理装置。
【請求項２】
前記制御手段は、前記シートの搬送方向の先端部分が屑であるとの切断加工情報に基づいて、前記切断加工を開始する前にシートの先端が前記第２搬送手段に達すると判断した場合には、前記シートの先端が前記第２搬送手段に達する前に前記切断加工情報に基づく切断加工位置とシート先端との間の位置でシートを切断加工するよう前記シート加工手段の動作を制御することを特徴とする請求項１記載のシート処理装置。
【請求項３】
前記制御手段は、前記シートの搬送方向の後端部分が屑であるとの切断加工情報に基づいて切断加工された前記シートの後端部分の搬送方向長さが、前記第１搬送手段と前記第２搬送手段との間隔よりも長くなると判断した場合には、前記切断加工されたシートの後端部分の先端とシート後端との間の位置でシートを切断加工するよう前記シート加工手段の動作を制御することを特徴とする請求項１又は２記載のシート処理装置。
【請求項４】
前記制御手段は、前記シートの中間部分が屑であるとの前記切断加工情報に基づいて、前記シートを切断加工する際の加工位置が、切断加工が終了する前に前記中間部分の先端が前記第２搬送手段に達する位置と判断した場合には、前記中間部分の先端が前記第２搬送手段に達する前に前記中間部分を切断加工するよう前記シート加工手段の動作を制御することを特徴とする請求項１乃至３のいずれか１項に記載のシート処理装置。
【請求項５】
前記第２搬送手段は、前記成果物の搬送方向と直交する方向の全域を支持すると共に、搬送方向に連続したシート搬送面を有するベルトであることを特徴とする請求項１乃至４のいずれか１項に記載のシート処理装置。
【請求項６】
前記第２搬送手段は、前記成果物の搬送方向と直交する方向の全域を支持する連続した搬送面を有し、かつ前記成果物の搬送方向長さよりも狭い間隔で搬送方向に配された複数のローラであることを特徴とする請求項１乃至５のいずれか１項に記載のシート処理装置。
【請求項７】
前記シート加工手段は、シートにレーザ光を照射してシートを切断加工するレーザ加工手段であることを特徴とする請求項１乃至６のいずれか１項に記載のシート処理装置。
【請求項８】
画像形成部と、前記画像形成部によって画像形成されたシートを処理する前記請求項１乃至７のいずれか１項に記載のシート処理装置と、を備えたことを特徴とする画像形成装置。
【請求項９】
画像形成部と、
前記画像形成部によって画像形成されたシートを処理するシート処理装置と、
前記シート処理装置の動作を制御する制御手段と、を備え、
前記シート処理装置は、
シートを切断加工するシート加工手段と、
シートを前記シート加工手段に向けて搬送する第１搬送手段と、
前記シート加工手段によりシートを切断加工して形成された成果物を搬送する第２搬送手段と、
前記シート加工手段による切断加工位置の下方に設けられ、前記シート加工手段によりシートが切断加工される際に生じる屑となるシートの部分を回収する回収手段と、を備え、
前記制御手段は、前記切断加工により前記屑となるシートの部分の搬送方向先端が前記第２搬送手段に達すると判断した際、前記屑となるシートの部分を搬送方向において分割して切断加工するよう前記シート加工手段の動作を制御することを特徴とする画像形成装置。
【請求項１０】
前記シート加工手段は、シートにレーザ光を照射してシートを切断加工するレーザ加工手段であることを特徴とする請求項９に記載の画像形成装置。
【手続補正２】
【補正対象書類名】明細書
【補正対象項目名】００１５
【補正方法】変更
【補正の内容】
【００１５】
本発明は、シートを切断加工するシート加工手段と、シートを前記シート加工手段に向けて搬送する第１搬送手段と、前記シート加工手段によりシートを切断加工して形成された成果物を搬送する第２搬送手段と、前記シート加工手段による切断加工位置の下方に設けられ、前記シート加工手段によりシートが切断加工される際に生じる屑となるシートの部分を回収する回収手段と、前記シート加工手段の動作を制御する制御手段と、を備え、前記制御手段は、前記切断加工により前記屑となるシートの部分の搬送方向先端が前記第２搬送手段に達すると判断した際、前記屑となるシートの部分を搬送方向において分割して切断加工するよう前記シート加工手段の動作を制御することを特徴とするものである。
【手続補正３】
【補正対象書類名】明細書
【補正対象項目名】００１６
【補正方法】変更
【補正の内容】
【００１６】
本発明は、画像形成部と、前記画像形成部によって画像形成されたシートを処理するシート処理装置と、前記シート処理装置の動作を制御する制御手段と、を備え、前記シート処理装置は、シートを切断加工するシート加工手段と、シートを前記シート加工手段に向けて搬送する第１搬送手段と、前記シート加工手段によりシートを切断加工して形成された成果物を搬送する第２搬送手段と、前記シート加工手段による切断加工位置の下方に設けられ、前記シート加工手段によりシートが切断加工される際に生じる屑となるシートの部分を回収する回収手段と、を備え、前記制御手段は、前記切断加工により前記屑となるシートの部分の搬送方向先端が前記第２搬送手段に達すると判断した際、前記屑となるシートの部分を搬送方向において分割して切断加工するよう前記シート加工手段の動作を制御することを特徴とするものである。
【手続補正書】
【提出日】平成21年2月2日(2009.2.2)
【手続補正１】
【補正対象書類名】明細書
【補正対象項目名】００１０
【補正方法】変更
【補正の内容】
【００１０】
図４は上記内燃機関20の縦断面を左側から見た図であり、矢印Ｆは前方を指している。図５は同内燃機関20の横断面を正面から見た図である。図５において、Ｖはクランク軸21の中心を通る船体２の鉛直面、Ｃは内燃機関20のシリンダ軸線、Ｈは船体２の水平面、Ｄは内燃機関20のクランクケース22とシリンダブロック23との割り面（接続面）を表している。
【手続補正２】
【補正対象書類名】明細書
【補正対象項目名】００２４
【補正方法】変更
【補正の内容】
【００２４】
Ｖ…船体の鉛直面、Ｃ…内燃機関のシリンダ軸線、Ｈ…船体の水平面、Ｄ…内燃機関のシリンダブロックとクランクケースの割り面、１…小型滑走艇、２…船体、５…ハル、６…デッキ、20…内燃機関、21…クランク軸、22…クランクケース、23…シリンダブロック、30…シリンダ、86…排気管、87…吸気管及び吸気系装置類、90…左側マウントブラケット、91…右側マウントブラケット、92…架台（左）、93…架台（右）。
【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
データ放送を受信する外部装置からの記録データを記録する記録装置において、
記録データに基づき用紙に記録する記録部と、
ユーザが操作するための操作部と、
前記操作部への操作に応じて、前記記録部が記録する用紙を指定するための用紙情報を選択する選択手段と、
前記選択手段で選択された用紙情報を前記外部装置が有する用紙情報と対応させて、前記記録部で記録データを記録するための用紙情報として設定する設定手段と、
を有することを特徴とする記録装置。
【請求項２】
前記設定手段により設定された用紙情報と前記外部装置が有する用紙情報とを対応付けて記憶する記憶手段と、
前記外部装置から用紙情報と記録データとを受信し、前記受信した用紙情報に対応する前記記憶手段に記憶された用紙情報に基づいて前記記録部で前記記録データを記録させる記録制御手段と、を有することを特徴とする請求項１に記載の記録装置。
【請求項３】
前記選択手段で選択可能な用紙情報を表示させる表示制御手段を有し、
前記表示制御手段で表示される用紙情報、あるいは前記記憶手段に記憶される用紙情報は、用紙の種類と用紙のサイズの少なくとも１つを含むことを特徴とする請求項１あるいは２に記載の記録装置。
【請求項４】
前記選択手段は用紙の種類を示す用紙情報から選択し、前記設定手段は前記選択手段で選択された用紙情報が示す用紙の種類を前記外部装置が選択可能な用紙の種類と対応させて設定することを特徴とする請求項１乃至請求項３のいずれか１項に記載の記録装置。
【請求項５】
前記外部装置から用紙情報を受信する受信手段を有し、
前記選択手段は、前記受信手段が受信した用紙情報に対応する用紙情報から選択することを特徴とする請求項１乃至請求項４のいずれか１項に記載の記録装置。
【請求項６】
複数の給紙トレイを有し、
前記設定手段は、前記複数の給紙トレイのそれぞれに含まれる用紙に対する用紙情報を設定することを特徴とした請求項１に記載の記録装置。
【手続補正２】
【補正対象書類名】明細書
【補正対象項目名】０００９
【補正方法】変更
【補正の内容】
【０００９】
上記の目的を達成するため本発明は、データ放送を受信する外部装置からの記録データを記録する記録装置において、記録データに基づき用紙に記録する記録部と、ユーザが操作するための操作部と、前記操作部への操作に応じて、前記記録部が記録する用紙を指定するための用紙情報を選択する選択手段と、前記選択手段で選択された用紙情報を前記外部装置が有する用紙情報と対応させて、前記記録部で記録データを記録するための用紙情報として設定する設定手段と、を有することを特徴とする。
【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
１枚のシートに冊子を構成する複数ページ分の画像を形成する画像形成手段と、
画像形成されたシートを束状にしてシート束を綴じる綴じ手段と、
前記シート束を折り曲げる折り曲げ手段と、
前記シート束が綴じられて折り曲げられた冊子を裁断する裁断手段と、を備えた画像形成製本システムにおいて、
画像が形成されるシートのサイズと、前記裁断手段により裁断された冊子１ページ分の面積とに基づいてシートのサイズ毎に利用効率を算出する算出手段と、
前記算出手段によって算出された結果を表示する表示手段と、を備え、
前記表示手段は、前記算出手段によって算出された利用効率をシートサイズ毎に表示する、
ことを特徴とする画像形成製本システム。
【請求項２】
１枚のシートに冊子を構成する複数ページ分の画像を形成する画像形成手段と、
画像形成されたシートを束状にしてシート束を綴じる綴じ手段と、
前記シート束を折り曲げる折り曲げ手段と、
前記シート束が綴じられて折り曲げられた冊子を裁断する裁断手段と、を備えた画像形成製本システムにおいて、
画像が形成されるシートのサイズと、前記裁断手段により裁断された冊子１ページ分の面積とに基づいてシートのサイズ毎に利用効率を算出する算出手段と、
前記算出手段によって算出された結果を表示する表示手段と、を備え、
前記表示手段は、前記算出手段によって算出された利用効率に基づいたシートの切除量をシートサイズ毎に表示する、
ことを特徴とする画像形成製本システム。
【請求項３】
１枚のシートに冊子を構成する複数ページ分の画像を形成する画像形成手段と、
画像形成されたシートを束状にしてシート束を綴じる綴じ手段と、
前記シート束を折り曲げる折り曲げ手段と、
前記シート束が綴じられて折り曲げられた冊子を裁断する裁断手段と、を備えた画像形成製本システムにおいて、
画像形成製本システムを制御する制御手段を備え、
前記制御手段は、画像が形成される前記シートのサイズと、前記裁断手段により裁断された冊子１ページ分の面積とに基づいてシートのサイズ毎に利用効率を算出する算出手段を有し、前記算出手段によって算出された利用効率が最大となるサイズのシートを選択する、
ことを特徴とする画像形成製本システム。
【請求項４】
前記綴じ手段が、前記シート束を針綴じするステープラであり、
前記裁断手段は、複数箇所針綴じされて折り曲げられたシート束の針綴じされた間を、前記シート束の折り曲げ部に対して直交する方向に切断して分割することが可能であり、
前記算出手段は、画像が形成される前記シートのサイズと、前記裁断手段により裁断された冊子１ページ分の面積と、前記裁断手段による分割数とに基づいてシートのサイズ毎に利用効率を算出する、
ことを特徴とする請求項１乃至３のいずれか１項に記載の画像形成製本システム。
【請求項５】
前記綴じ手段が、前記シート束を針綴じするステープラであり、
前記裁断手段は、複数箇所針綴じされて折り曲げられたシート束の針綴じされた間を、前記シート束の折り曲げ部に対して直交する方向に切断して分割することが可能であり、
前記折り曲げ手段は、複数回折り曲げを行うことが可能であり、
前記算出手段は、画像が形成される前記シートのサイズと、前記裁断手段により裁断された冊子１ページ分の面積と、前記裁断手段による分割数と、前記折り曲げ手段による折り曲げ数とに基づいてシートのサイズ毎に利用効率を算出する、
ことを特徴とする請求項１乃至３のいずれか１項に記載の画像形成製本システム。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
上記目的を達成するため、本発明の画像形成製本システムは、１枚のシートに冊子を構成する複数ページ分の画像を形成する画像形成手段と、画像形成されたシートを束状にしてシート束を綴じる綴じ手段と、前記シート束を折り曲げる折り曲げ手段と、前記シート束が綴じられて折り曲げられた冊子を裁断する裁断手段と、を備え、さらに、画像が形成されるシートのサイズと、前記裁断手段により裁断された冊子１ページ分の面積とに基づいてシートのサイズ毎に利用効率を算出する算出手段と、前記算出手段によって算出された結果を表示する表示手段と、を備え、前記表示手段は、前記算出手段によって算出された利用効率をシートサイズ毎に表示するようになっている。
【手続補正４】
【補正対象書類名】明細書
【補正対象項目名】００１０
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００５３
【補正方法】変更
【補正の内容】
【００５３】
給紙サイズの選択は、選択したい給紙サイズの右横にある「選択」ボタン１Ａ乃至１Ｅを押すことによって選択することができる。また、「自動選択」ボタン１Ｆを押すことで、最適な給紙サイズを自動的に選択することができる。
【手続補正７】
【補正対象書類名】明細書
【補正対象項目名】００９４
【補正方法】変更
【補正の内容】
【００９４】
例えば、原稿枚数が１５枚の場合、１５÷８の端数切り上げは２であるため、画像形成枚数は２枚になる。ページ割り振りは図１２（ｃ）に示すように、１枚目の画像位置Ａの画像は１１ページ目になり、画像位置Ｂの画像は６ページ目になり、画像位置Ｃの画像は７ページ目になり、画像位置Ｄの画像は１０ページ目になる。また、画像位置Ｅの画像は９ページ目になり、画像位置Ｆの画像は８ページ目になり、画像位置Ｇの画像は５ページ目になり、画像位置Ｈの画像は１２ページ目になる。２枚目も同様に図示した通りになる。
以上のように、本発明の画像形成製本システムは、冊子１ページ分の画像をシートに割り付ける割り付け手段としての画像形成回路部１５０を備えているので、シートに形成した画像をページ順に製本することができる。
【手続補正書】
【提出日】平成21年4月3日(2009.4.3)
【手続補正１】
【補正対象書類名】特許請求の範囲
【補正対象項目名】請求項１
【補正方法】変更
【補正の内容】
【請求項１】
印字用片を一定方向に搬送することでその印字面に印字対象が印字される印字物の検査方法において、
前記印字面を撮像して得た画像を複数の画素に分解して認識し、その結果、印字対象が含まれると判断された画素の数に基づいて印字の品質を判定することを特徴とする印字物の検査方法。
【手続補正２】
【補正対象書類名】特許請求の範囲
【補正対象項目名】請求項６
【補正方法】変更
【補正の内容】
【請求項６】
印字用片を一定方向に延びる搬送経路に沿って搬送し、この搬送過程で印字用片の搬送方向に対して前記搬送経路の横断方向に延びる印字パターンを搬送方向へ順次印字することにより、印字用片の印字面上に搬送方向及び前記搬送経路の横断方向に拡がる印字対象が印字される印字物の検査方法において、
前記印字対象が含まれる前記印字面の領域を撮像する撮像工程と、
前記撮像工程で撮像された画像を、マトリクス状に配列された複数の画素に分解して認識する認識工程と、
前記認識工程で認識された個々の画素につき、前記印字対象が含まれるか否かを判別する判別工程と、
前記判別工程で前記印字対象が含まれると判別された画素の数に基づいて印字の品質を判定する判定工程と
から構成される印字物の検査方法。
【手続補正３】
【補正対象書類名】特許請求の範囲
【補正対象項目名】請求項１１
【補正方法】変更
【補正の内容】
【請求項１１】
印字用片を所定の搬送経路に沿って搬送する搬送機構と、前記搬送機構により搬送される印字用片の搬送動作に伴いその印字面上に所定の印字対象を印字する印字機構とを備えた印字機により印字される印字物の検査装置において、
前記印字機構により印字された印字対象を撮像する撮像手段と、
前記撮像手段により撮像された印字対象の画像を複数の画素に分解して認識するとともに、認識した個々の画素について前記印字対象が含まれるか否かを判断した結果、前記印字対象が含まれると判断された画素の数に基づいて印字の品質を判定する検査手段と
を備えたことを特徴とする印字物の検査装置。
【手続補正４】
【補正対象書類名】明細書
【補正対象項目名】０００５
【補正方法】変更
【補正の内容】
【０００５】
本発明は、印字物となる印字用片を一定方向（例えば辺に沿う方向）へ一定の速度で搬送し、この搬送過程で、印字用片の印字面に印字が行われる印字物の検査に適用される。このように、印字用片の搬送に伴って印字が行われる場合、その搬送状態の変動（搬送速度の変動）に起因して印字の不具合が発生する。具体的には、搬送速度の低下による印字対象（文字・符号等）のつぶれ不良や、反対に搬送速度の増加による印字対象の伸び不良である。なお本発明でいう「印字」には、文字や符号のみならず、絵柄や図形、記号等を印字することも含まれる。この点、公知技術で検査を行っている文字パターン列の傾きといった程度の不具合であれば、最終的に１つ１つの文字がつぶれたり、伸びたりしていなければ、そのまま文字を判読可能である場合もある。しかしながら、本発明で取り扱うつぶれ不良や伸び不良等は単なる傾斜とは性質が異なり、印字された文字や符号、絵柄、図記号等の判読を困難にする不具合であることから、これを確実に検査することの意義は大きい。
【手続補正５】
【補正対象書類名】明細書
【補正対象項目名】００２２
【補正方法】変更
【補正の内容】
【００２２】
図１の印字機に適用された印字装置は、印字の品質を検査するため検査ユニット３０を備えている。検査ユニット３０もまた、中央演算処理装置（ＣＰＵ）や記憶装置（ＲＯＭ，ＲＡＭ）、入出力インタフェース（Ｉ／Ｏ）等を有した電子計算機から構成されており、その具体例としてパーソナルコンピュータ、ワークステーション等が挙げられる。
【手続補正６】
【補正対象書類名】明細書
【補正対象項目名】００２３
【補正方法】変更
【補正の内容】
【００２３】
検査ユニット３０に付随して、検査装置は上流シートセンサ２８や印字マークセンサ２９、ＣＣＤカメラ３２及び下流シートセンサ３３を備えている。シート片Ｓの搬送方向でみて、各種センサ２８，２９，３３及びＣＣＤカメラ３２は印字機構８の下流に配置されている。その中で上流シートセンサ２８は、ＣＣＤカメラ３２よりもシート片Ｓの搬送方向でみて上流に配置されており、印字マークセンサ２９及び下流シートセンサ３３はＣＣＤカメラ３２よりも下流に配置されている。上流シートセンサ２８及び下流シートセンサ３３は、それぞれの位置でシート片Ｓの有無を検出し、その検出信号を検査ユニット３０に入力する。また印字マークセンサ２９はシート片Ｓの有無を検出するほか、その印字面に付された印字マークの有無を検出し、それらの検出信号を検査ユニット３０に入力する。ＣＣＤカメラ３２はシート片Ｓの印字面の一定範囲内を撮像し、その画像データを検査ユニット３０に入力する。
【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
直流電圧のみを印加され前記像担持体に接触して前記像担持体を帯電する接触帯電部材と、
前記帯電部材に当接する当接部材と、を有する像担持体を帯電する帯電装置であって、前記像担持体は外添剤を有するトナーにより像担持体上にトナー像を現像され、
前記外添剤はシリカを有しており、
前記帯電部材の上の前記シリカは負に帯電されており、
前記帯電部材と、前記当接部材と、前記シリカのそれぞれの仕事関数は
当接部材の仕事関数＞シリカの仕事関数＞帯電部材の仕事関数
を満たすことを特徴とする帯電装置。
【請求項２】
前記シリカの粒径は、前記トナーの粒径よりも小さいことを特徴とする請求項１に記載の画像形成装置。
【請求項３】
前記当接部材は前記接触帯電部材の軸方向に対して往復運動をすることを特徴とする請求項１又は２に記載の帯電装置。
【請求項４】
前記当接部材は、ポリフェニレンサルファイドシート又は、ビフェニルテトラカルボン酸二無水物を含むポリイミドシートであることを特徴とする請求項１乃至３のいずれかに記載の帯電装置。
【請求項５】
前記当接部材の方が前記像担持体に対して負極性側に大きい電位となるような電界が、前記当接部材と前記像担持体との間に形成されることを特徴とする請求項１乃至４のいずれかに記載の帯電装置。
【請求項６】
像担持体と、
前記像担持体を帯電する帯電装置と、
外添剤を有するトナーにより前記像担持体上にトナー像を現像する現像装置とを有し、画像形成装置本体に着脱可能なプロセスカートリッジであって、
前記帯電装置が請求項１乃至５のいずれかの帯電装置であることを特徴とするプロセスカートリッジ。
【請求項７】
像担持体と、
前記像担持体を帯電する帯電装置と、
帯電した前記像担持体に静電潜像を形成する潜像形成装置と、
外添剤を有するトナーにより前記像担持体上にトナー像を現像する現像装置と、
前記像担持体に形成されたトナー像を記録媒体に転写する転写装置と、
転写後の前記像担持体上に残ったトナーをクリーニングするクリーニング装置と、を有する画像形成装置であって、
前記帯電装置が請求項１乃至５のいずれかの帯電装置であることを特徴とする画像形成装置。
【手続補正書】
【提出日】平成21年3月2日(2009.3.2)
【手続補正１】
【補正対象書類名】特許請求の範囲
【補正対象項目名】全文
【補正方法】変更
【補正の内容】
【特許請求の範囲】
【請求項１】
結着樹脂と着色剤とを含む電子写真用トナーであって、
前記結着樹脂が、結晶性ポリエステル樹脂を含み、
前記結晶性ポリエステル樹脂が、ナフタレン骨格およびビフェニル骨格の少なくともいずれかを有する低分子化合物を含み、且つ芳香族ジカルボン酸由来構成成分を０．５〜３０構成モル％含有することを特徴とする電子写真用トナー。
【請求項２】
電子写真用トナーとキャリアとを含む電子写真用現像剤であって、
前記電子写真用トナーが、請求項１に記載の電子写真用トナーであることを特徴とする電子写真用現像剤。
【請求項３】
潜像保持体表面に静電潜像を形成する潜像形成工程と、該静電潜像を現像剤により現像してトナー画像を形成する現像工程と、潜像保持体表面に形成されたトナー画像を被記録体に転写して転写画像を形成する転写工程と、被記録体に転写された転写画像を定着する定着工程とを含む画像形成方法であって、
前記現像剤が、請求項１に記載の電子写真用トナーを含むことを特徴とする画像形成方法。
【手続補正２】
【補正対象書類名】明細書
【補正対象項目名】００１９
【補正方法】変更
【補正の内容】
【００１９】
上記課題は、以下の本発明により達成される。すなわち本発明は、
＜１＞結着樹脂と着色剤とを含む電子写真用トナーであって、前記結着樹脂が、結晶性ポリエステル樹脂を含み、前記結晶性ポリエステル樹脂が、ナフタレン骨格およびビフェニル骨格の少なくともいずれかを有する低分子化合物を含み、且つ芳香族ジカルボン酸由来構成成分を０．５〜３０構成モル％含有することを特徴とする電子写真用トナーである。
【手続補正３】
【補正対象書類名】明細書
【補正対象項目名】００２６
【補正方法】変更
【補正の内容】
【００２６】
［１］電子写真用トナー：
本発明の電子写真用トナーは、結着樹脂と着色剤とを含む。そして、結着樹脂が結晶性ポリエステル樹脂を含み、且つ結晶性ポリエステル樹脂が所定の低分子化合物を含む。以下、本発明の電子写真用トナーの各構成成分について説明する。
【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
第１の電極及び配線が形成された第１の基板と、
前記第１の電極と対向する第２の電極が形成された第２の基板と、
前記第１の電極及び前記配線と、前記第２の電極とが互いに内側となるように前記第１の基板と前記第２の基板とを貼り合わせるシール材と、
前記配線と前記第２の電極とを電気的に接続する導電体と、
前記シール材と前記導電体との間に形成された障壁とを有することを特徴とする電子機器。
【請求項２】
第１の電極及び配線が形成された第１の基板と、
前記第１の電極と対向する第２の電極が形成された第２の基板と、
前記第１の電極及び前記配線と、前記第２の電極とが互いに内側となるように前記第１の基板と前記第２の基板とを貼り合わせるシール材と、
前記配線と前記第２の電極とを電気的に接続する導電体と、
前記導電体を囲うように設けられた障壁とを有することを特徴とする電子機器。
【請求項３】
請求項２において、
前記障壁は、円形、楕円形、三角形、四角形、または多角形の形状をなしていることを特徴とする電子機器。
【請求項４】
請求項１乃至３のいずれか一において、
前記障壁は、前記導電体と接していることを特徴とする電子機器。
【請求項５】
請求項１乃至３のいずれか一において、
前記障壁と前記導電体との間に減圧された空間を有することを特徴とする電子機器。
【請求項６】
請求項１乃至５のいずれか一において、
前記第１の基板と前記第２の基板とのギャップを保持するスペーサをさらに有することを特徴とする電子機器。
【請求項７】
請求項６において、
前記スペーサは柱状であることを特徴とする電子機器。
【請求項８】
請求項６または７において、
前記障壁及び前記スペーサは、同一の材料で形成されることを特徴とする電子機器。
【請求項９】
第１の電極及び配線が形成された第１の基板と、
前記第１の電極と対向する第２の電極が形成された第２の基板と、
前記第１の電極及び前記配線と、前記第２の電極とが互いに内側となるように前記第１の基板と前記第２の基板とを貼り合わせるシール材と、
前記配線と前記第２の電極とを電気的に接続する導電体と、
前記シール材と前記導電体との間に形成された有機絶縁材料とを有することを特徴とする電子機器。
【請求項１０】
第１の電極及び配線が形成された第１の基板と、
前記第１の電極と対向する第２の電極が形成された第２の基板と、
前記第１の電極及び前記配線と、前記第２の電極とが互いに内側となるように前記第１の基板と前記第２の基板とを貼り合わせるシール材と、
前記配線と前記第２の電極とを電気的に接続する導電体と、
前記導電体を囲うように設けられた有機絶縁材料とを有することを特徴とする電子機器。
【請求項１１】
請求項１０において、
前記有機絶縁材料は、円形、楕円形、三角形、四角形、または多角形の形状をなしていることを特徴とする電子機器。
【請求項１２】
請求項９乃至１１のいずれか一において、
前記有機絶縁材料は、前記導電体と接していることを特徴とする電子機器。
【請求項１３】
請求項９乃至１１のいずれか一において、
前記有機絶縁材料と前記導電体との間に減圧された空間を有することを特徴とする電子機器。
【請求項１４】
請求項９乃至１３のいずれか一において、
前記有機絶縁材料は、アクリル、ポリイミド、またはシロキサンであることを特徴とする電子機器。
【請求項１５】
請求項９乃至１４のいずれか一において、
前記第１の基板と前記第２の基板とのギャップを保持するスペーサをさらに有することを特徴とする電子機器。
【請求項１６】
請求項１５において、
前記スペーサは柱状であることを特徴とする電子機器。
【請求項１７】
請求項１５または１６において、
前記スペーサは、前記有機絶縁材料と同一の材料で形成されることを特徴とする電子機器。
【請求項１８】
第１の電極及び配線が形成された第１の基板と、
前記第１の電極と対向する第２の電極が形成された第２の基板と、
前記第１の電極及び前記配線と、前記第２の電極とが互いに内側となるように前記第１の基板と前記第２の基板とを貼り合わせるシール材と、
前記配線と前記第２の電極とを電気的に接続する導電体と、
前記シール材と前記導電体との間に形成された第１の障壁及び第２の障壁とを有することを特徴とする電子機器。
【請求項１９】
第１の電極及び配線が形成された第１の基板と、
前記第１の電極と対向する第２の電極が形成された第２の基板と、
前記第１の電極及び前記配線と、前記第２の電極とが互いに内側となるように前記第１の基板と前記第２の基板とを貼り合わせるシール材と、
前記配線と前記第２の電極とを電気的に接続する導電体と、
前記導電体を囲うように設けられた第１の障壁及び第２の障壁とを有することを特徴とする電子機器。
【請求項２０】
請求項１８または１９において、
前記第１の障壁は前記第１の基板上に形成され、前記第２の障壁は前記第２の基板上に形成されていることを特徴とする電子機器。
【請求項２１】
請求項１乃至２０のいずれか一において、
前記電子機器は、テレビ受像機、ビデオカメラ、デジタルカメラ、プロジェクター、ヘッドマウントディスプレイ、カーナビゲーション、カーステレオ、パーソナルコンピュータ、携帯情報端末、モバイルコンピュータ、携帯電話、または電子書籍であることを特徴とする電子機器。
【手続補正書】
【提出日】平成20年12月25日(2008.12.25)
【手続補正１】
【補正対象書類名】特許請求の範囲
【補正対象項目名】請求項１
【補正方法】変更
【補正の内容】
【請求項１】
画像データをフレームメモリ内に記録する描画装置であって、
キャッシュメモリと、
描画対象となる画像データが記録されるべきフレームメモリ内の範囲を特定する範囲特定手段と、
フレームメモリをバースト転送の転送単位になるバイト数で定まる境界により区分してなる各区分領域のうち、前記範囲特定手段により特定された範囲と重なる１以上の区分領域それぞれに対して、記録されるべき前記画像データの部分である部分画像を特定し、特定した各部分画像を区別可能に前記キャッシュメモリ内に記録する記録手段と、
キャッシュメモリ内に記録された部分画像それぞれを、対応するフレームメモリ内の区分領域へとバースト転送するメモリ間転送制御手段とを備える
ことを特徴とする描画装置。
【手続補正２】
【補正対象書類名】特許請求の範囲
【補正対象項目名】請求項３
【補正方法】変更
【補正の内容】
【請求項３】
前記区分領域は、前記キャッシュメモリと前記フレームメモリとを接続するメモリバスの本数に基づいて決定される
ことを特徴とする請求項１記載の描画装置。
【手続補正３】
【補正対象書類名】特許請求の範囲
【補正対象項目名】請求項４
【補正方法】変更
【補正の内容】
【請求項４】
前記区分領域は、前記バースト転送における転送可能なデータ量に基づいて決定される
ことを特徴とする請求項１記載の描画装置。
【手続補正４】
【補正対象書類名】特許請求の範囲
【補正対象項目名】請求項５
【補正方法】変更
【補正の内容】
【請求項５】
前記キャッシュメモリの記憶容量は、前記フレームメモリの前記区分領域に該当する記憶容量の整数倍である
ことを特徴とする請求項１記載の描画装置。
【手続補正５】
【補正対象書類名】特許請求の範囲
【補正対象項目名】請求項６
【補正方法】変更
【補正の内容】
【請求項６】
画像データをキャッシュメモリを経由してフレームメモリ内に記録する記録方法であって、
描画対象となる画像データが記録されるべきフレームメモリ内の範囲を特定する範囲特定ステップと、
フレームメモリをバースト転送の転送単位になるバイト数で定まる境界により区分してなる各区分領域のうち、前記範囲特定手段により特定された範囲と重なる１以上の区分領域それぞれに対して、記録されるべき前記画像データの部分である部分画像を特定し、特定した各部分画像を区別可能に前記キャッシュメモリ内に記録する記録ステップと、
キャッシュメモリ内に記録された部分画像それぞれを、対応するフレームメモリ内の区分領域へとバースト転送するメモリ間転送ステップとを含む
ことを特徴とする記録方法。
【手続補正６】
【補正対象書類名】特許請求の範囲
【補正対象項目名】請求項７
【補正方法】変更
【補正の内容】
【請求項７】
画像データをキャッシュメモリを経由してフレームメモリ内に記録する描画装置のコンピュータに実行させる、画像をフレームメモリに記録する処理手順を示した記録プログラムであって、前記処理手順は、
描画対象となる画像データが記録されるべきフレームメモリ内の範囲を特定する範囲特定ステップと、
フレームメモリをバースト転送の転送単位になるバイト数で定まる境界により区分してなる各区分領域のうち、前記範囲特定手段により特定された範囲と重なる１以上の区分領域それぞれに対して、記録されるべき前記画像データの部分である部分画像を特定し、特定した各部分画像を区別可能に前記キャッシュメモリ内に記録する記録ステップと、
キャッシュメモリ内に記録された部分画像それぞれを、対応するフレームメモリ内の区分領域へとバースト転送するメモリ間転送ステップとを含む
ことを特徴とする記録プログラム。
【手続補正７】
【補正対象書類名】特許請求の範囲
【補正対象項目名】請求項８
【補正方法】変更
【補正の内容】
【請求項８】
画像データをキャッシュメモリを経由してフレームメモリ内に記録する描画集積回路であって、
描画対象となる画像データが記録されるべきフレームメモリ内の範囲を特定する範囲特定手段と、
フレームメモリをバースト転送の転送単位になるバイト数で定まる境界により区分してなる各区分領域のうち、前記範囲特定手段により特定された範囲と重なる１以上の区分領域それぞれに対して、記録されるべき前記画像データの部分である部分画像を特定し、特定した各部分画像を区別可能に前記キャッシュメモリ内に記録する記録手段と、
キャッシュメモリ内に記録された部分画像それぞれを、対応するフレームメモリ内の区分領域へとバースト転送するメモリ間転送制御手段とを備える
ことを特徴とする描画集積回路。
【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
指紋センサ付きワイヤレスユニバーサルバス（ＵＳＢ）メモリキーの使用方法であって、
前記ＵＳＢメモリキーに内蔵される指紋センサが、ユーザ認証をするためにユーザの指紋を採取する工程と、
採取された前記指紋によって、前記ユーザが認証を受けているということが判った場合に、前記ワイヤレスＵＳＢメモリキーを用いてワイヤレスにシステム内のコンピュータ機器を制御する制御工程と、を含むことを特徴とする方法。
【請求項２】
前記システムが、電磁制御ドアロックを備える家であって、
前記制御工程において、
前記家の前記電磁制御ドアロックをワイヤレス制御するために前記ＵＳＢメモリキーを使用することを特徴とする請求項１に記載の方法。
【請求項３】
前記システムが、電磁制御ドアロックを備える車両であって、
前記制御工程において、
前記車両の前記電磁制御ドアロックをワイヤレス制御するために、前記ＵＳＢメモリキーを使用することを特徴とする請求項１に記載の方法。
【請求項４】
前記システムには、コンピュータネットワークが含まれ、
前記制御工程において、
前記ユーザが前記コンピュータネットワークにアクセスすることを許可するために前記ワイヤレスＵＳＢメモリキーを使用することを特徴とする請求項１に記載の方法。
【請求項５】
前記制御工程において、
前記ユーザが格納したデータファイルを、前記ワイヤレスＵＳＢメモリキーを使用して、該ワイヤレスＵＳＢメモリキーから前記コンピュータ機器に送信することを特徴とする請求項１に記載の方法。
【請求項６】
前記制御工程において、
前記ユーザが格納したデータファイルを、前記ワイヤレスＵＳＢメモリキーを使用して、該ワイヤレスＵＳＢメモリキーから前記コンピュータ機器にワイヤレス送信することを含むことを特徴とする請求項１に記載の方法。
【請求項７】
登録されたユーザの指紋を前記ワイヤレスＵＳＢメモリキーに格納することにより、該ワイヤレスＵＳＢメモリキーと共に少なくとも１つのユーザの指紋を登録する工程を更に含むことを特徴とする請求項１に記載の方法。
【請求項８】
登録されたユーザの指紋を前記コンピュータ機器に格納することにより、少なくとも１つのユーザの指紋を登録する工程を更に含むことを特徴とする請求項１に記載の方法。
【請求項９】
ユーザが認証を受けているかどうかを判断するために、採取された前記指紋と、前記ワイヤレスＵＳＢメモリキーに格納されている登録された指紋とを比較する工程を更に含むことを特徴とする請求項１に記載の方法。
【請求項１０】
採取された前記指紋を前記コンピュータ機器に送信し、
ユーザが認証を受けているかどうかを判断するために、採取された前記指紋と該コンピュータ機器に格納されている登録された指紋とを前記コンピュータ機器において比較する工程を更に含むことを特徴とする請求項１に記載の方法。
【請求項１１】
採取された前記指紋を前記コンピュータ機器にワイヤレス送信し、
ユーザが認証を受けているかどうかを判断するために、採取された前記指紋と該コンピュータ機器に格納されている登録された指紋とを前記コンピュータ機器において比較する工程を更に含むことを特徴とする請求項１に記載の方法。
【請求項１２】
前記ワイヤレスＵＳＢメモリキーは、該ワイヤレスＵＳＢメモリキーに内蔵されている電池を電源として使用することを特徴とする請求項１に記載の方法。
【請求項１３】
指紋認証機能付きワイヤレスユニバーサルバス（ＵＳＢ）メモリキーであって、
データを格納するためのメモリと、
ＵＳＢ通信をサポートするためのＵＳＢインタフェースと、
指紋センサと、
ワイヤレス通信をサポートするための無線周波数（ＲＦ）トランシーバーと、
前記メモリ、前記ＵＳＢインタフェース、前記指紋センサ及び前記ＲＦトランシーバーに接続されているコントロール回路と
を備えることを特徴とするワイヤレスＵＳＢメモリキー。
【請求項１４】
前記ＵＳＢメモリキーに電力を供給するバッテリーをさらに備えることを特徴とする請求項に１３に記載のワイヤレスＵＳＢメモリキー。
【請求項１５】
前記ＵＳＢメモリキーに電力を供給するバッテリーと、
前記バッテリーに接続されているバッテリー充電回路と、
前記バッテリー充電回路に接続され、直流（ＤＣ）電力を前記バッテリー充電回路に供給する電源入力部と、
をさらに備え、
前記バッテリー充電回路が前記電源入力部からＤＣ電力を受けると、該バッテリー充電回路がバッテリーを充電することを特徴とする請求項１３に記載のワイヤレスＵＳＢメモリキー。
【請求項１６】
キーホルダー用のリングをさらに備えることを特徴とする請求項１３に記載のワイヤレスＵＳＢメモリキー。
【請求項１７】
ユーザに電子メールを提供するための指紋センサ付きワイヤレスユニバーサルバス（ＵＳＢ）メモリキーの使用方法であって、
前記ＵＳＢメモリキーを使用して、インターネット上の電子メールメッセージを自動的にダウンロードし、
ダウンロードされた前記電子メールメッセージを前記ＵＳＢメモリキーのメモリに格納し、
前記ユーザの指紋を採取するために前記指紋センサを使用し、
採取された前記指紋を使用してユーザ認証を行ない、
前記ユーザ認証に成功した場合に、格納された前記電子メールメッセージに前記ユーザがアクセスができるようにするために、前記ＵＳＢメモリキーを使用する
ことを特徴とする方法。
【請求項１８】
更に、前記電子メールメッセージをダウンロードするために、前記ＵＳＢメモリキーを使用して、インターネット接続が可能かどうかを自動的に検知することを特徴とする請求項１７に記載の方法。
【請求項１９】
前記ＵＳＢメモリキーを使用して、インターネット接続可能なコンピュータ機器とワイヤレス通信リンクを確立し、
前記ワイヤレス通信リンク上で前記電子メールメッセージをダウンロードすることを特徴とする請求項１７に記載の方法。